(57)【要約】【課題】防水性に優れているうえ種々の太さのケーブルにも対応できるボックスの入出線部の防水構造を提供する。【解決手段】ボックス１の板部２１の端縁からＵ字状の切欠部４を設け、該切欠部４に分割したパッキン５又は端縁から連設したスリット入りのパッキンを嵌合したうえ該パッキン５を切欠部４の開口部側でパッキン押え部材７により固定する。これによりパッキン５はケーブルの形状に合わせて圧縮変形して密着するので防水性に優れたものとなり、また、種々の太さのケーブルにも一種類のパッキンでも対応できるものである。【選択図】　　図２
2004015947.tif 000002
【特許請求の範囲】
【請求項１】
ボックスの板部に端縁からＵ字状の切欠部を設け、該切欠部に分割したパッキン又は端縁から連設したスリット入りのパッキンを嵌合したうえ該パッキンを切欠部の開口部側でパッキン押え部材により固定したことを特徴とするボックスの入出線部の防水構造。
【発明の詳細な説明】
【０００１】
【発明の属する技術分野】
本発明は、光接続箱や制御盤等の電気電子機器収納用のボックスに光ファイバケーブルや電力ケーブル等のケーブルを入出線する際に使用するボックスの入出線部の防水構造に関するものである。
【０００２】
【従来の技術】
従来のボックスの入出線部の防水構造は、図５に示すようにボックス１０１に貫通孔１０２を設け、ケーブル１０３を挿通させたゴム製のブッシュ１０４を前記貫通孔１０２に嵌着して入出線部の防水を行っていた。
【０００３】
【発明が解決しようとする課題】
ところが、この従来のものは、ケーブル１０３をその先端側からブッシュ１０４に通したうえ貫通孔１０２に該ブッシュ１０４に挿通したケーブルを先端側から挿通したうえブッシュ１０４を貫通孔１０２に嵌着しなければならず、この配線作業が厄介であった。また、ケーブルの太さによっては別異のブッシュを用意する必要があった。そこで、配線作業が容易なうえ種々の太さのケーブルにも対応できるボックスの入出線部の防水構造が待望されていた。
【０００４】
【課題を解決するための手段】
前記のような待望に応えてなされた本発明のボックスの入出線部の防水構造は、ボックスの板部に端縁からＵ字状の切欠部を設け、該切欠部に分割したパッキン又はスリット入りのパッキンを嵌合したうえ該パッキンを開口部側でパッキン押え部材により固定したことを特徴とする。
【０００５】
【発明の実施の形態】
次に、本発明の好ましい実施の形態を図示の光接続用のボックスにより説明する。
１はボックス本体２と該ボックス本体２を施蓋するカバー３からなる光接続用のボックスである。このボックス１の板部２１すなわちボックス本体２の背面板２２の下端前面に鍔状に張設した底板部２１の前面側の端縁２１ａからＵ字状の切欠部４が設けられている。そして、該切欠部４には図１〜図３に示す２分割したパッキン５又は図４に示す周縁から連設したスリット６ａを設けた不分割のパッキン６が嵌合したうえ、該パッキン５，６を切欠部４の開口部４ａ側でパッキン押え部材７により抜け出ることのないように固定してある。
【０００６】
この図１〜図３に示す２分割したパッキン５は２個の半円形パッキン部材５ａ、５ａからなり、この半円形パッキン部材５ａは半円板状パッキン材５１の周縁上下面に半リング状パッキン材５２、５２をその周縁が半円板状パッキン材５１の周端面より突出させて横溝５３を形成するようにして該横溝５３を前記切欠部４の奥部内面４１に形成した鍔板部４２及びパッキン押え部材７の先端に形成した鍔板部７１に嵌合して切欠部４の上下方向に抜け出ることを防止している。また、図４に示す周縁からスリット６ａを設けた不分割のパッキン６は、円板状パッキン材６１の周縁上下面にリング状パッキン材６２をその周縁が円板状パッキン材６１の周端面より突出させて横溝６３を形成するようにしたうえ、周縁からリング状パッキン材６２に達するスリット６ａを設けたものである。
【０００７】
また、パッキン押え部材７は先端面を前記パッキン５、６と対応する外形に嵌合できる形状すなわち半円凹弧状としたうえ前記鍔板部７１を形成している。また、該パッキン押え部材７は両側面に形成した横溝部７２、７２を切欠部４の両側内面に形成したレール部４３、４３に係合して摺動自在に切欠部４に嵌合できるものとしている。
【０００８】
さらに、該パッキン押え部材７は、両側面上下の一方すなわち下方に設けたバネ片よりなる抜け止め部材７３により切欠部４より抜け出ることのないようにし前記パッキン５、６を抜け出ることのないように固定してある。すなわち、抜け止め部材７３は基端をパッキン押え部材７の側面の先方に一体に取り付けて先端側を外側に向け付勢させたものであり、パッキン押え部材７を切欠部４に嵌合する際には切欠部４の開口両側により内側に押圧されて、嵌合されると開口両側による押圧を解除されて先端を開口部内側に係止されるものである。そして、パッキン押え部材７を切欠部４から取り外す場合には、抜け止め部材７３を手指で内側に押圧して切欠部４の開口部内側との係止を解除することにより行うことができる。なお、抜け止め部材７３を手指で操作できるように図示のように底板部２１の表裏面側すなわち裏面側から露出させておくことは勿論である。
【０００９】
このように構成されたものは、分割したパッキン５又はスリット入りのパッキン６をボックス１の板部２１の端縁から設けたＵ字状の切欠部４に嵌合する際に、該分割したパッキン５にあっては、分割面の間にケーブルを介在させ、スリット６ａ入りのパッキン６にあっては周縁からスリット６ａ内にケーブルを介在させて、その後、該パッキン５，６を切欠部４に開口側部４ａから嵌合したうえ該パッキン５，６を切欠部４の開口部４ａ側でパッキン押え部材７により抜け出ることのないように固定すれば、ケーブルを介在させたパッキン５，６の中央部はケーブルの形状に合わせて圧縮変形して密着するので防水性に優れたものとなり、また、種々の太さのケーブルにも一種類のパッキンでも対応できるものである。
【００１０】
また、本発明にあってはパッキン５、６を切欠部４に嵌合するものであるからその嵌合作業が容易であり、また、パッキン５、６も分割又は周縁からのスリット６ａ入りであるのでケーブルは側部からパッキンの中央部に位置させることができるので、ボックス内への配線作業が容易なものとなる。
【００１１】
なお、前記実施形態では板部２１としては鍔状の底板部２１により説明したが、端縁からＵ字状の切欠部４を形成できるものであれば、ボックス本体２に形成した背面板２２であってもよく、また、上板部、側板部が形成されているものにあってこれらのものであっても、さらには、カバー３から入出線するものにあってはカバー３に形成した前面板、側板等であってもよいことは勿論である。
【００１２】
【発明の効果】
以上説明したように、本発明のボックスの入出線部の防水構造は、ボックスの板部の端縁からＵ字状の切欠部を設け、該切欠部に分割したパッキン又は周縁から連設したスリット入りのパッキンを嵌合したうえ該パッキンを切欠部の開口部側でパッキン押え部材により固定したものであるから、パッキンはケーブルの形状に合わせて圧縮変形して密着するので防水性もよく、また、種々の太さのケーブルにも一種類のパッキンでも対応できるものである。
よって、本発明は従来のボックスの入出線部の防水構造の問題点を解決したもので、業界にもたらす益大なものである。
【図面の簡単な説明】
【図１】本発明の実施形態を示す斜視図である。
【図２】本発明の実施形態を態様を異にして示す斜視図である。
【図３】本発明の実施形態を態様を異にして示す斜視図である。
【図４】本発明の実施形態に使用するスリット入りのパッキンを示す斜視図である。
【図５】従来例を示す斜視図である。
【符号の説明】
１　ボックス、２１　板部、４　Ｕ字状の切欠部、５　分割したパッキン、６　端縁から連設したスリット入りのパッキン、７　パッキン押え部材
【図１】
2004015947.tif 000003
【図２】
2004015947.tif 000004
【図３】
2004015947.tif 000005
【図４】
2004015947.tif 000006
【図５】
2004015947.tif 000007